(57)【要約】【課題】端子を電線挿通孔に貫通させる際のダメージを極力低減できる封止部材等を提供する。【解決手段】電線挿通孔１１が形成されたマットシール（封止部材）１０であって、電線挿通孔１１は、入口側に形成され、端子の挿入方向に向かって徐々に縮径するテーパ状の直線面１１ａと、直線面１１ａに連続し、電線挿通孔１１の内周面に突設された山状リップ１２の円弧面１２ａとによって形成され、直線面１１ａと山状リップ１２の円弧面１２ａとは、端子の挿入方向の最初の山状リップ１２の頂点で連続しており、電線挿通孔１１の入口先端から端子３０の挿入方向の最初の山状リップ１２の頂点ａまでの端子拾い面１３が直線面１１ａより形成されている。【選択図】図３
2020174013.tif 000002
【特許請求の範囲】
【請求項１】
電線挿通孔が形成され、前記電線挿通孔の入口側から挿入された端子が貫通し、前記端子に接続された電線が前記電線挿通孔に密着状態で挿入される封止部材であって、
前記電線挿通孔は、入口側に形成され、前記端子の挿入方向に向かって徐々に縮径するテーパ状の直線面と、前記直線面に連続し、前記電線挿通孔の内周面に突設された山状リップの円弧面とによって形成され、
前記直線面と前記山状リップの前記円弧面とは、前記端子の挿入方向の最初の前記山状リップの頂点で連続しており、
前記電線挿通孔の入口先端から前記端子の挿入方向の最初の前記山状リップの頂点までの端子拾い面が前記直線面より形成されていることを特徴とする封止部材。
【請求項２】
請求項１記載の封止部材であって、
前記電線挿通孔が複数設けられていることを特徴とする封止部材。
【請求項３】
端子収容室と前記端子収容室に連続する封止部材収容室とを有するコネクタハウジングと、
前記封止部材収容室に収容され、前記端子収容室に対応する位置に電線挿通孔が設けられた封止部材と、
前記封止部材の前記電線挿通孔を貫通して前記端子収容室に収容される端子と、
前記端子に接続され、前記封止部材の前記電線挿通孔内に密着状態で収容される電線とを備えたコネクタであって、
前記封止部材の前記電線挿通孔は、入口側に形成され、前記端子の挿入方向に向かって徐々に縮径するテーパ状の直線面と、前記直線面に連続し、前記電線挿通孔の内周面に突設された山状リップの円弧面とによって形成され、
前記直線面と前記山状リップの前記円弧面とは、前記端子の挿入方向の最初の前記山状リップの頂点で連続しており、
前記電線挿通孔の入口先端から前記端子の挿入方向の最初の前記山状リップの頂点までの端子拾い面が前記直線面より形成されていることを特徴とするコネクタ。
【請求項４】
請求項３記載のコネクタであって、
前記封止部材には、複数の前記電線挿通孔が設けられていることを特徴とするコネクタ。
【発明の詳細な説明】
【技術分野】
【０００１】
本発明は、封止部材、及び、封止部材を備えたコネクタに関する。
【背景技術】
【０００２】
封止部材を備えたコネクタとしては、コネクタハウジングと、コネクタハウジングに装着される封止部材と、コネクタハウジングの端子収容室に収容された端子とを備えたものが従来より提案されている。封止部材５０には、図６に示すように、電線挿通孔５１が形成されている。電線挿通孔５１の内周面には、複数の山状リップ５２が連続して突設されている。
【０００３】
端子６０は、内部に弾性変形部が設けられた相手端子接続部６１と、電線（図示せず）が加締めによって接続される電線接続部（図示せず）を備えている。
【０００４】
図６では、電線付きの端子６０が封止部材５０を挿入する直前位置を示すが、電線付きの端子６０は、封止部材５５の電線挿通孔５１に貫通することでコネクタハウジング（図示せず）の端子収容室に収容される。端子６０に接続された電線は、電線挿通孔５１内に密着収容される。これにより、コネクタハウジングより外部に導き出された電線を伝ってコネクタハウジングの端子収容室に水等が入り込むのを防止する（特許文献１参照）。
【０００５】
前記した電線挿通孔５１の構成を詳しく説明する。電線挿通孔５１は、図７に詳しく示すように、入口側に形成され、端子６０の挿入方向Ｄに向かって徐々に縮径するテーパ状の直線面５１ａと、直線面５１ａに連続し、電線挿通孔５１の内周面に突設された山状リップ５２の円弧面５２ａとによって形成されている。直線面５１ａと円弧面５２ａとは、端子６０の挿入方向Ｄの最初の山状リップ５２の傾斜面の途中ｂで連続している。つまり、電線挿通孔５１の挿入先端から最初の山状リップ５２の頂点ａまでを端子拾い面５３とすると、端子拾い面５３が直線面５１ａと円弧面５２ａとによって形成されている。
【先行技術文献】
【特許文献】
【０００６】
【特許文献１】特開２０１４−７８３２６号公報
【発明の概要】
【発明が解決しようとする課題】
【０００７】
ところで、端子６０が封止部材５０の電線挿通孔５１を貫通する際には、端子６０の先端が先ず端子拾い面５３に当接し、電線挿通孔５１の山状リップ５２を押し広げながら進入する。従って、端子６０が電線挿通孔５１を押し広げる際に封止部材５５に引張応力が発生する。大きな引張応力が作用すると封止部材５０へのダメージが大きく、破損する恐れがある。そのため、端子６０を電線挿通孔５１に貫通させる際のダメージを極力低減させることが望まれている。
【０００８】
そこで、本発明は、前記した課題を解決すべくなされたものであり、端子を電線挿通孔に貫通させる際のダメージを極力低減できる封止部材、及び、この封止部材が適用されたコネクタを提供することを目的とする。
【課題を解決するための手段】
【０００９】
本発明の封止部材は、電線挿通孔が形成され、前記電線挿通孔の入口側から挿入された端子が貫通し、前記端子に接続された電線が前記電線挿通孔に密着状態で挿入される封止部材であって、前記電線挿通孔は、入口側に形成され、前記端子の挿入方向に向かって徐々に縮径するテーパ状の直線面と、前記直線面に連続し、前記電線挿通孔の内周面に突設された山状リップの円弧面とによって形成され、前記直線面と前記山状リップの前記円弧面とは、前記端子の挿入方向の最初の前記山状リップの頂点で連続しており、前記電線挿通孔の入口先端から前記端子の挿入方向の最初の前記山状リップの頂点までの端子拾い面が前記直線面より形成されていることを特徴とする。
【００１０】
本発明のコネクタは、端子収容室と前記端子収容室に連続する封止部材収容室とを有するコネクタハウジングと、前記封止部材収容室に収容され、前記端子収容室に対応する位置に電線挿通孔が設けられた封止部材と、前記封止部材の前記電線挿通孔を貫通して前記端子収容室に収容される端子と、前記端子に接続され、前記封止部材の前記電線挿通孔内に密着状態で収容される電線とを備えたコネクタであって、前記封止部材の前記電線挿通孔は、入口側に形成され、前記端子の挿入方向に向かって徐々に縮径するテーパ状の直線面と、前記直線面に連続し、前記電線挿通孔の内周面に突設された山状リップの円弧面とによって形成され、前記直線面と前記山状リップの前記円弧面とは、前記端子の挿入方向の最初の前記山状リップの頂点で連続しており、前記電線挿通孔の入口先端から前記端子の挿入方向の最初の前記山状リップの頂点までの端子拾い面が前記直線面より形成されていることを特徴とする。
【発明の効果】
【００１１】
本発明によれば、端子が端子拾い面に正対する角度が小さくなるため、端子を電線挿通孔に貫通させる際のダメージを極力低減できる。
【図面の簡単な説明】
【００１２】
【図１】本発明の一実施形態を示し、コネクタの断面図である。
【図２】本発明の一実施形態を示し、マットシールの斜視図である。
【図３】本発明の一実施形態を示し、電線挿通孔の要部構成を説明する図である。
【図４】本発明の一実施形態を示し、端子の斜視図である。
【図５】（ａ）は本発明の一実施形態における、電線が電線挿通孔に密着収容された状態を示す断面図、（ｂ）は比較例における、電線が電線挿通孔に密着収容された状態を示す断面図である。
【図６】従来例を示し、端子を封止部材の電線挿通孔に挿入する直前位置を示す断面図である。
【図７】従来例を示し、電線挿通孔の要部構成を説明する図である。
【発明を実施するための形態】
【００１３】
以下、本発明の実施形態を図面に基づいて説明する。
【００１４】
図１〜図５には、本発明の一実施形態が示されている。図１に示すように、コネクタ１は、コネクタハウジング２と、コネクタハウジング２に収容された封止部材であるマットシール１０と、マットシール１０の後方でマットシール１０を保持するリアホルダ２０と、コネクタハウジング２に装着される電線Ｗ付きの端子３０とを備えている。
【００１５】
コネクタハウジング２には、複数の端子収容室２ａとこれら端子収容室２ａの電線引出側である後方に配置された封止部材収容室であるマットシール収容室２ｂが形成されている。
【００１６】
マットシール１０は、マットシール収容室２ｂに収容されている。マットシール１０は、ゴム材等の軟質の弾性材より形成されている。
【００１７】
マットシール１０には、図２に示すように、各端子収容室２ａに対応する位置に電線挿通孔１１がそれぞれ形成されている。つまり、マットシール１０には上下左右方向に間隔を置いて複数の電線挿通孔１１が設けられている。電線挿通孔１１の内周面には、電線挿通孔１１の軸方向に連続して配置された複数の山状リップ１２が設けられている。各山状リップ１２は、電線挿通孔１１の内周面より内側（軸中心）に向かって突出している。電線挿通孔１１の詳しい構成については、下記する。
【００１８】
リアホルダ２０は、図１に示すように、コネクタハウジング２の後方面よりマットシール収容室２ｂに配置されている。リアホルダ２０には、マットシール１０の各電線挿通孔１１に対応する位置に電線孔２２がそれぞれ形成されている。この各電線孔２２は、端子１の外径サイズより大きな孔サイズである。
【００１９】
端子３０は、図４に示すように、所定形状に形成された１枚の導電性の板材を折り曲げ加工することによって形成されている。端子３０は、相手端子（図示せず）が電気的に接続される相手端子接続部３１と、電線Ｗが接続される電線接続部３２とを備えている。
【００２０】
相手端子接続部３１は、四角形の筒体内に弾性接触部（図示せず）を有する。相手端子接続部３１は、相手端子が筒体内の弾性接触部に弾性復帰力接触することによって相手端子と電気的に接続される。
【００２１】
次に、マットシール１０の電線挿通孔１１の構成を詳しく説明する。図３に示すように、電線挿通孔１１は、入口側に形成され、端子３０の挿入方向Ｄに向かって徐々に縮径するテーパ状の直線面１１ａと、直線面１１ａに連続し、電線挿通孔１１の内周面に突設された複数の山状リップ１２の円弧面１２ａとによって形成されている。直線面１１ａと、山状リップ１２の円弧面１２ａとは、端子３０の挿入方向の最初の山状リップ１２の頂点ａで連続している。これにより、電線挿通孔１１の入口先端から端子３０の挿入方向Ｄの最初の山状リップ１２の頂点ａまでの面を端子拾い面１３とすると、端子拾い面１３が全て直線面１１ａより形成されている。
【００２２】
ここで、本実施形態の端子拾い面１３に端子３０が正対する角度α１と、従来例の端子拾い面５３に端子６０が正対する角度α２とを比較する。電線挿通孔１１の入口先端から端子３０，６０の挿入方向Ｄの最初の山状リップ１２,５２の頂点ａまでの距離Ｌを同じにした場合、本実施形態の角度α１が従来例の角度α２より小さくなる。
【００２３】
次に、電線Ｗが接続された端子３０のコネクタ１への装着作業を説明する。電線Ｗが接続された端子３０を、コネクタハウジング２の後面に開口したマットシール収容室２ｂより挿入する。すると、端子３０がリアホルダ２０の電線孔２２を経てマットシール１０の電線挿通孔１１に入り込む。端子３０がマットシール１０の電線挿通孔１１を貫通する際に、端子３０の相手端子接続部３１が電線挿通孔１１を押し広げながら進み、端子３０が端子収容室２ａに配置される。端子３０が端子収容室２ａに挿入された状態では、端子３０に接続された電線Ｗがマットシール１０の電線挿通孔１１に配置される。
【００２４】
上記作業過程中で、端子３０が封止部材１０の電線挿通孔１１を貫通する過程にあっては、先ず、端子３０の相手端子接続部３１が端子拾い面１３に当接し、電線挿通孔１１を押し広げながら進む。ここで、端子拾い面１３が全て直線面１１ａとして形成されているため、上記したように従来例に較べて、端子３０が正対する端子拾い面１３の角度α１（α１<α２）が小さい。従って、端子３０が電線挿通孔１１を押し広げる際にマットシール１０に引張応力が発生する。マットシール１０に発生する引張応力が小さいため、マットシール１０へのダメージが小さく、破損する恐れが低減する。
【００２５】
電線挿通孔１１は、端子拾い面１３以外の面が山状リップ１２の円弧面１２ａに形成されているので、図５（ａ）に示すように、端子３０や電線Ｗの貫通過程で山状リップ１２が倒れることなく山状リップ１２の先端箇所が圧縮変形した状態（潰れた状態）で電線Ｗの外周面に密着するため、封止性能が良い。つまり、図５（ｂ）に示すように、電線挿通孔１１の内面が三角状リップ１２Ａで直線面である場合には、三角状リップ１２Ａが倒れた状態で電線Ｗの外周面に密着する場合が想定され、低い封止性能しか得られない恐れがあるが、本実施形態では、確実に高い封止性能が得られる。
【００２６】
この実施形態では、封止部材が複数の電線挿通孔を有するマットシールであるが、単一の電線挿通孔を有するゴム栓であっても本発明を適用できる。
【符号の説明】
【００２７】
１  コネクタ
２  コネクタハウジング
２ａ  端子収容室
２ｂ  マットシール収容室（封止部材収容室）
１０  マットシール（封止部材）
１１  電線挿通孔
１１ａ  直線面
１２  山状リップ
１２ａ  円弧面
１３  端子拾い面
３０  端子
【図１】
2020174013.tif 000003
【図２】
2020174013.tif 000004
【図３】
2020174013.tif 000005
【図４】
2020174013.tif 000006
【図５】
2020174013.tif 000007
【図６】
2020174013.tif 000008
【図７】
2020174013.tif 000009